(57)【要約】ユーザが自由にデザインして容易に組立て又は分解することができ、任意の機能を自由に組付けることが可能で軽量・コンパクトなコンピュータ用ケースの構造とする。複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、前記立体形状の輪郭を形成する骨格部材の外側に前記アウタパネルがビスにより着脱自在に取付けられており、前記骨格部材は、前記立体形状の各面の輪郭形状に形成されるアウタフレームと、前記立体形状のコーナ部分に位置し、隣接するアウタフレームを連結するコーナ部品とを備え、アウタフレーム及びコーナ部品がビスによって組付けられることにより分解自在となっている。
2004001565.tif 000002
【特許請求の範囲】
【請求項１】
複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、
前記立体形状の輪郭を形成する骨格部材の外側に前記アウタパネルがビスにより着脱自在に取付けられており、
前記骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレーム、コーナ部品及びアウタフレームがビスによって組付けられることにより分解自在となっていることを特徴とするコンピュータ用ケース。
【請求項２】
外部記憶モジュールベイ及びマザーボードを含むボードのボードベイを少なくとも有した立体形状の第１のケースと、
電源モジュールベイを有した立体形状の第２のケースと、
内部記憶モジュールベイを有した立体形状の第３のケースとを備え、
第１、第２及び第３のケースは、それぞれの立体形状の輪郭を形成する骨格部材の外側にアウタパネルがビスによって着脱自在に取付けられており、
前記骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレーム、コーナ部品及びアウタフレームがビスによって組付けられることにより分解自在となっていることを特徴とするコンピュータ用ケース。
【請求項３】
前記第２及び第３のケースが、第１のケースの背面側に組付け可能となっていることを特徴とする請求の範囲第２項記載のコンピュータ用ケース。
【請求項４】
前記外部記憶モジュール及びマザーボードやスイッチ類等のコンピュータ用内部機器類、電源モジュール及び内部記憶モジュールを取付ける取付パネルが、ビスによってそれぞれ前記第１、第２、第３のケース内に着脱自在に組付けられていることを特徴とする請求の範囲第２項記載のコンピュータ用ケース。
【請求項５】
複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、
前記立体形状の輪郭を形成する骨格部材の外側に前記アウタパネルがビスにより着脱自在に取付けられており、
前記骨格部材は、前記立体形状の各面の輪郭形状に形成されるアウタフレームと、前記立体形状のコーナ部分に位置し、隣接するアウタフレームを連結するコーナ部品とを備え、
アウタフレーム及びコーナ部品がビスによって組付けられることにより分解自在となっていることを特徴とするコンピュータ用ケース。
【請求項６】
前記ケース内に複数の内・外部記憶モジュールである大、小型ディスクドライブがそれぞれ積み重ねられて取付けられるディスクドライブベイは、
上下に重なる二つの大型ディスクドライブに掛け渡されてそれらの左右両側面を挟持した状態で、前記ケースの底面のアウタフレームに取付けられたベイ固定パネルの上面に固定される左右一対の第１のアングルパネルと、
前記上側の大型ディスクドライブの上にさらに重ねて積み上げられた複数の大型ディスクドライブの上下に隣接する二つずつに順次掛け渡されてそれらの左右両側面を挟持する左右複数対の第２のアングルパネルと、
前記大型ディスクドライブの最上部にさらに重ねて積み上げられた一つの小型ディスクドライブの左右両側面を挟持した状態で、前記大型ディスクドライブの最上部に配設された左右の第２のアングルパネルにそれぞれ固定される第３の左、右アングルパネルとを備え、
前記と同形状の複数対の第２のアングルパネルは、前記小型ディスクドライブの上にさらに重ねて積み上げられた複数の小型ディスクドライブをそれぞれ一つずつ挟持した前記と同形状の複数の第３の左、右アングルパネルを順次上下に隣接する二つずつに掛け渡し固定することにより複数段連設することができるようになっており、
前記大、小型ディスクドライブがそれぞれ複数段積み重ねられて配置され、前記左右一対の第１のアングルパネルと左右複数対の第２のアングルパネル及び第３の左、右アングルパネルとを介しビスによって組付けられることにより分解自在となっていることを特徴とする請求の範囲第５項記載のコンピュータ用ケース。
【請求項７】
前記第１のアングルパネルは、前記ベイ固定パネルの上面にビスにより固定される固定フランジと、その固定フランジに連設して断面Ｌ字形に曲折され、前記上下に隣接する二つの大型ディスクドライブに掛け渡されてそれらの側面にビスにより取付けられる平板取付部とを有し、
前記第２のアングルパネルは、前記上下に隣接する二つの大型ディスクドライブに掛け渡されてそれらの側面にビスにより取付けられる平板取付部を有し、
前記第３の左、右アングルパネルは、複数段積み重ねられた前記大型ディスクドライブの最上部にさらに重なるように配置された一つの小型ディスクドライブの左右両側面にビスにより取付けられる平板取付部と、その平板取付部に連設しそれぞれ左右の外側に向かって突出するように断面クランク型状に曲折され、前記大型ディスクドライブの最上部に配設された左右の第２のアングルパネルの平板取付部にそれぞれビスにより固定される固定部とを有しており、
さらに前記第２のアングルパネルの平板取付部と第３の左、右アングルパネルの固定部とは、相互に上下に隣接する二つに掛け渡されて固定できることを特徴とする請求の範囲第６項記載のコンピュータ用ケース。
【請求項８】
前記第１のアングルパネルの平板取付部上端と第２のアングルパネルの平板取付部下端とには、両者が当接して位置決めを行う係止部をそれぞれ有するとともに、
第２のアングルパネルの平板取付部上端には、上部に連設する別の第２のアングルパネルの平板取付部下端と当接して位置決めを行う係止部を有することを特徴とする請求の範囲第７項記載のコンピュータ用ケース。
【請求項９】
前記ケース内に少なくとも一つずつの大、小型ディスクドライプが積み重ねられて取付けられるディスクドライブベイは、
大型ディスクドライブの左右両側面を挟持した状態で、前記ケースの上面のアウタフレームに取付けられたベイ固定パネルの下面に固定される左右一対の第１のアングルパネルと、
前記大型ディスクドライブの下部に重なるように配置された小型ディスクドライブの左右両側面を挟持した状態で、前記左右の第１のアングルパネルにそれぞれ固定される第３の左、右アングルパネルとを備えており、
前記大、小型ディスクドライブが積み重ねられて配置され、前記左右の第１のアングルパネル及び第３の左、右アングルパネルを介しビスによって組付けられることにより分解自在となっていることを特徴とする請求の範囲第６項記載のコンピュータ用ケース。
【請求項１０】
請求の範囲第９項記載の第１のアングルパネル及び第３の左、右アングルパネルは、それぞれ請求の範囲第７項又は請求の範囲第８項記載の第１のアングルパネル及び請求の範囲第７項記載の第３の左、右アングルパネルとそれぞれ同じ形状を有することを特徴とする請求の範囲第９項記載のコンピュータ用ケース。
【請求項１１】
複数のアウタパネルを組付けることにより、コンピュータ用モジュールが組み込み可能なベイを内部に有した立体形状のコンピュータ用ケースを組立てるコンピュータ用ケースの製造方法であって、
前記立体形状の各面の輪郭形状に形成されるインナフレームのコーナ部分にコーナ部品を設けて隣接するインナフレームを連結するとともに、隣接するコーナ部品の間にアウタフレームを掛け渡してインナフレームに取付けることにより、前記立体形状の輪郭を形成するための骨格部材を分解自在に組立てる第１の工程と、
前記骨格部材の外側に前記アウタパネルをビスによって着脱自在に取付ける第２の工程とを備えていることを特徴とするコンピュータ用ケースの製造方法。
【請求項１２】
複数のアウタパネルを組付けることにより、コンピュータ用モジュールが組み込み可能なベイを内部に有した立体形状のコンピュータ用ケースを組立てるコンピュータ用ケースの製造方法であって、
前記立体形状の各面の輪郭形状に形成されるアウタフレームのコーナ部分にコーナ部品を設けて隣接するアウタフレームを連結することにより、前記立体形状の輪郭を形成するための骨格部材を分解自在に組立てる第１の工程と、
前記骨格部材の外側に前記アウタパネルをビスによって着脱自在に取付ける第２の工程とを備えていることを特徴とするコンピュータ用ケースの製造方法。
【発明の詳細な説明】
【技術分野】  本発明は、コンピュータ用ケース及びその製造方法に関し、特にユーザが好みの仕様に任意に変更することが可能な設計の自由度を有したコンピュータ用ケース及びその製造方法に関する。
【背景技術】  従来のコンピュータとしては、数多くの特許又は実用新案公報等に記載されている。これらのコンピュータにおいては、その作動を確保するための電源、ＣＰＵが搭載されたマザーボード又はメインボード等のボード類、ＨＤＤ（Ｈａｒｄ  Ｄｉｓｃ  Ｄｒｉｖｅ）等の内部記憶モジュール、さらにはＦＤＤ（Ｆｌｏｐｐｙ  Ｄｉｓｃ  Ｄｒｉｖｅ）、ＣＤ（Ｃｏｍｐａｃｔ  Ｄｉｓｃ  Ｄｒｉｖｅ）、ＤＶＤ（Ｄｉｇｉｔａｌ  Ｖｅｒｓａｔｉｌｅ  Ｄｉｓｃ  Ｄｒｉｖｅ）、光ディスク、ＰＣカードその他等の各種外部記憶モジュールを選択的に備え、これらの部品がケース内に配置されている。ケースとしては、デスクトップ型やタワー型等の大量生産や経済性を考慮してメーカ側が設計した規定の形状及び大きさのものが使用されている（例えば、特許文献１、２参照）。
【特許文献１】      特開２００１−３５０５４２号公報（第３〜１０頁、図１）
【特許文献２】      実用新案登録第３０６６５９６号公報
上述したように従来のコンピュータでは、メーカが提供した形状及び大きさのケース内に各種部品を組付けていることから一定の機能を有するに過ぎないものとなっている。このため、コンピュータ自体が有していない拡張機能を新たに追加する場合においては、その機能を有した各種ディスクドライブ等のモジュールを有線、無線等によってコンピュータと接続する必要がある。このような接続では、拡張モジュールがコンピュータの周囲に散乱することとなり、大きなスペースが必要となるとともに、乱雑となる問題を有している。
また、ケースが一定規格の形状及び大きさを有していることから、ケースの外観の変更ができない。このため、ユーザが自らの好みに合わせたデザインとすることができず、興趣性に劣るものとなっている。さらに、外形が一定規格の形状及び大きさとなっているため、出荷、搬送等の際における梱包が嵩張り、そのための大きなスペースが必要となっており、輸送コストの増大を招いている。
本発明はこのような従来の問題点を考慮してなされたものであり、本発明の目的は、ユーザが好みに合わせ自由にデザインして組立てることができるとともに分解することができ、しかも任意の機能を自由に組付けることができ、これにより機能の拡張に際しても乱雑となることがなく、梱包も嵩張ることのない軽量・コンパクトなコンピュータ用ケース及びその製造方法を提供することにある。
【発明の開示】
上記目的を達成するため、請求の範囲第１項の発明は、複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、前記立体形状の輪郭を形成する骨格部材の外側に前記アウタパネルがビスにより着脱自在に取付けられており、前記骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレーム、コーナ部品及びアウタフレームがビスによって組付けられることにより分解自在となっていることを特徴とする。
この発明では、インナフレーム、コーナ部品及びアウタフレームを組付けることにより、ケースにおける立体形状の輪郭をなす骨格部材が作製される。従って、この骨格部材の外側にアウタパネルを取付けることによりコンピュータ用ケースを作製することができる。この組付けに際しては、ビスを用いるため、簡単に組付けることができるとともに分解することができる。
このような構造では、アウタパネルが骨格部材に着脱自在となっているとともに、骨格部材が分解自在となっているため、骨格部材の構成部品及びアウタパネルをユーザが選択することにより、ユーザが自由にデザイン設計及びデザイン変更することができ、興趣性に富んだものとすることができる。また、拡張モジュールの追加に際しても、骨格部材の構成部品やアウタパネルを拡張モジュールに合わせた形状や寸法とすることにより、拡張モジュールをケース内に簡単に収納することができ、このため、乱雑となることがなくなる。さらに、分解が容易であるため、梱包も嵩張ることがなく、運搬が容易となる。
請求の範囲第２項の発明のコンピュータ用ケースは、外部記憶モジュールベイ及びマザーボードを含むボードのボードベイを少なくとも有した立体形状の第１のケースと、電源モジュールベイを有した立体形状の第２のケースと、内部記憶モジュールベイを有した立体形状の第３のケースとを備え、第１、第２及び第３のケースは、それぞれの立体形状の輪郭を形成する骨格部材の外側にアウタパネルがビスによって着脱自在に取付けられており、前記骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレーム、コーナ部品及びアウタフレームがビスによって組付けられることにより分解自在となっていることを特徴とする。
この発明においても、第１〜第３のそれぞれのケースにおける骨格部材が分解自在となっているとともにアウタパネルが骨格部材に対して着脱自在となっている。このため、ユーザが自由にデザインを選ぶことができ、興趣性に富むとともに、追加の拡張モジュールをケース内に収納することができ、乱雑となることがない。さらに、輸送時にはケースの全ての部材を分解して輸送することができるので、梱包も嵩張ることがなく、運搬が容易で大幅な輸送コストダウンが可能となる。
請求の範囲第３項の発明は、請求の範囲第２項記載のコンピュータ用ケースであって、前記第２及び第３のケースが、第１のケースの背面側に組付け可能となっていることを特徴とする。
第２及び第３のケースが正面から見えないため、外観が向上する。また、電源モジュール及び内部記憶モジュールの排熱も後方に放出することができる。
請求の範囲第４項の発明は、請求の範囲第２項記載のコンピュータ用ケースであって、前記外部記憶モジュール及びマザーボードやスイッチ類等のコンピュータ用内部機器類、電源モジュール、及び内部記憶モジュールを取付ける取付パネルが、ビスによってそれぞれ前記第１、第２、第３のケース内に着脱自在に組付けられていることを特徴とする。
このように取付パネルを着脱自在に設けることにより、それぞれの部品を取り替えることが容易であるとともに、それぞれの部品を確実にケース内に取付けることが可能となり、安定した組付けを行うことができる。
請求の範囲第５項の発明は、複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、前記立体形状の輪郭を形成する骨格部材の外側に前記アウタパネルがビスにより着脱自在に取付けられており、前記骨格部材は、前記立体形状の各面の輪郭形状に形成されるアウタフレームと、前記立体形状のコーナ部分に位置し、隣接するアウタフレームを連結するコーナ部品とを備え、アウタフレーム及びコーナ部品がビスによって組付けられることにより分解自在となっていることを特徴とする
この発明では、前記立体形状の輪郭を形成する骨格部材が、アウタフレーム及びコーナ部品のみから容易に構成及び分解自在とすることができる。このため、ユーザが自由にコンピュータのデザインを選ぶことができ、興趣性に富むとともに、追加の拡張モジュールをケース内に収納することができ、乱雑となることもない。さらに、輸送時にはケースの全ての部材を分解して輸送することができるので、梱包も嵩張ることがなく、運搬が容易で大幅な輸送コストダウンも可能となる。
請求の範囲第６項の発明は、前記ケース内に複数の内・外部記憶モジュールである大、小型ディスクドライブがそれぞれ積み重ねられて取付けられるディスクドライブベイが、上下に重なる二つの大型ディスクドライブに掛け渡されてそれらの左右両側面を挟持した状態で、前記ケースの底面のアウタフレームに取付けられたベイ固定パネルの上面に固定される左右一対の第１のアングルパネルと、前記上側の大型ディスクドライブの上にさらに重ねて積み上げられた複数の大型ディスクドライブの上下に隣接する二つずつに順次掛け渡されてそれらの左右両側面を挟持する左右複数対の第２のアングルパネルと、前記大型ディスクドライブの最上部にさらに重ねて積み上げられた一つの小型ディスクドライブの左右両側面を挟持した状態で、前記大型ディスクドライブの最上部に配設された左右の第２のアングルパネルにそれぞれ固定される第３の左、右アングルパネルとを備え、前記と同形状の複数対の第２のアングルパネルが、前記小型ディスクドライブの上にさらに重ねて積み上げられた複数の小型ディスクドライブをそれぞれ一つずつ挟持した前記と同形状の複数対の第３の左、右アングルパネルを順次上下に隣接する二つずつに掛け渡し固定することにより複数段連設することができるようになっており、前記大、小型ディスクドライブがそれぞれ複数段積み重ねられて配置され、前記左右一対の第１のアングルパネルと左右複数対の第２のアングルパネル及び第３の左、右アングルパネルとを介しビスによって組付けられることにより分解自在となっていることを特徴とする。
この発明では、従来の３．５インチ及び５インチディスクドライブを収容する外部記憶モジュールベイやＨＤＤを収容する内部記憶モジュールベイのような大、小型ディスクドライブの台数が画一的に限定されたり、両者のベイを区分したりすることなく、左右一対の第１のアングルパネルと複数対の第２のアングルパネル及び第３の左、右アングルパネルとを用いて大、小型ディスクドライブを任意に複数段積み重ねディスクドライブベイを一体的に連設することができる。このため、ユーザが自由にデザインを選ぶことができ、興趣性に富むとともに、追加の拡張モジュールをケース内に収納することが容易にでき、乱雑となることがない。しかも、ケース全体が軽量・コンパクトな構成となる。これに加えて、輸送時にはケース及び外部記憶モジュールベイとも分解して輸送することができるので、梱包も嵩張ることがなく、運搬が容易で大幅な輸送コストダウンも可能となる。
請求の範囲第７項の発明は、前記第１のアングルパネルが、前記ベイ固定パネルの上面にビスにより固定される固定フランジと、その固定フランジに連設して断面Ｌ字状に曲折され、上下に重なる二つの大型ディスクドライブに掛け渡されてそれらの側面にビスにより取付けられる平板取付部とを有し、前記第２のアングルパネルが、上下に重なる二つの大型ディスクドライブに掛け渡されてそれらの側面にビスにより取付けられる平板取付部を有し、前記第３の左、右アングルパネルが、複数段積み重ねられた前記大型ディスクドライブの最上部にさらに重なるように配置された一つの小型ディスクドライブの左右両側面にビスにより取付けられる平板取付部と、その平板取付部に連接しそれぞれ左右の外側に向かって突出するように断面クランク型状に曲折され、前記大型ディスクドライブの最上部に配設された左右の第２のアングルパネルの平板取付部にそれぞれビスにより固定される固定部とを有しており、
さらに前記第２のアングルパネルの平板取付部と第３の左、右アングルパネルの固定部とが、相互に上下に隣接する二つに掛け渡されて固定できることを特徴とする。
この発明では、第１、第２のアングルパネル及び第３の左、右アングルパネルが薄板の平板構造で、小型・軽量に構成することができる。このため、ユーザが自由にデザインを選び、追加の拡張モジュールをケース内に収納することが容易にできる等に加えて、ケース全体がコンパクトで軽量となるので、梱包も嵩張ることがなく、運搬がいっそう容易で大幅な輸送コストダウンも可能となる。
請求の範囲第８項の発明は、前記第１のアングルパネルの平板取付部上端と第２のアングルパネルの平板取付部下端とには、両者が当接して位置決めを行う係止部をそれぞれ有するとともに、第２のアングルパネルの平板取付部上端には、上部に連設する別の第２のアングルパネルの平板取付部下端と当接して位置決めを行う係止部を有することを特徴とする。
この発明では、第１のアングルパネルと第２のアングルパネル、及び第２のアングルパネル同士が当接して位置決めを行う係止部をそれぞれ有している。このため、左右一対の第１のアングルパネルと複数対の第２のアングルパネル及び第３の左、右アングルパネルとを用いて大、小型外部記憶モジュールを任意に複数段積み重ねて組付ける場合に、それぞれの位置決めが容易で、しかも相互に前後にずれることがないので安定した組付けが確保できる。
請求の範囲第９項の発明は、前記ケース内に少なくとも一つずつの大、小型ディスクドライブが積み重ねられて取付けられるディスクドライブベイが、大型ディスクドライブの左右両側面を挟持した状態で、前記ケースの上面のアウタフレームに取付けられたベイ固定パネルの下面に固定される左右一対の第１のアングルパネルと、
前記大型ディスクドライブの下部に重なるように配置された小型ディスクドライブの左右両側面を挟持した状態で、前記左右の第１のアングルパネルにそれぞれ固定される第３の左、右アングルパネルとを備えており、前記大、小型ディスクドライブが積み重ねられて配置され、前記左右の第１のアングルパネル及び第３の左、右アングルパネルを介しビスによって組付けられることにより分解自在となっていることを特徴とする。
この発明では、例えばＰｅｎｔｉｕｍ（登録商標）４マザーボード搭載などの省スペースのマイクロタワー型又はミニタワー型コンピュータ用ケースとして、左右一対の第１のアングルパネルと第３の左、右アングルパネルとを用い大、小型ディスクドライブを積み重ねてケース上面のベイ固定パネルの下面に固定し組付け、コンパクトで軽量に構成することができる。さらに、輸送時にはケース及びそれに収容する全ての部材を分解して輸送することができるので、梱包も嵩張ることがなく、運搬が容易で大幅な輸送コストダウンも可能となる。
請求の範囲第１０項の発明は、請求の範囲第９項記載の第１のアングルパネル及び第３の左、右アングルパネルが、それぞれ請求の範囲第７項又は請求の範囲第８項記載の第１のアングルパネル及び請求の範囲第７項記載の第３の左、右アングルパネルとそれぞれ同じ形状を有することを特徴とする。
この発明では、大、小型外・内部記憶モジュールを複数段積み重ねて組付けられた大型のフルタワー型又は中型のミドルタワー型から少なくとも各１個の大、小型外・内部記憶モジュールを重ねて組付けられた小型のミニタワー型コンピュータ用ケースに至るまで第１のアングルパネル及び第３の左、右アングルパネルが共通に使用できる。さらに、前記第２のアングルパネルもフルタワー型、ミドルタワー型から小型のミニタワー型コンピュータ用ケースに至るまで共通に使用できる。このため、内・外部記憶モジュールベイの設計製作費が節減されるとともに、ユーザが自由にコンピュータのデザインを選ぶことができ、興趣性に富むとともに、追加の拡張モジュールをケース内に収納することも容易にできる。さらに、輸送時にはケース及び外部記憶モジュールベイを分解して輸送することができるので、梱包も嵩張ることがなく、運搬が容易で大幅な輸送コストダウンが可能となる。
請求の範囲第１１項の発明は、複数のアウタパネルを組付けることにより、コンピュータ用モジュールが組み込み可能なベイを内部に有した立体形状のコンピュータ用ケースを組立てるコンピュータ用ケースの製造方法であって、前記立体形状の各面の輪郭形状に形成されたインナフレームのコーナ部分にコーナ部品を設けて隣接するインナフレームを連結するとともに、隣接するコーナ部品の間にアウタフレームを掛け渡してインナフレームに取付けることにより、前記立体形状の輪郭を形成するための骨格部材を分解自在に組立てる第１の工程と、前記骨格部材の外側に前記アウタパネルをビスによって着脱自在に取付ける第２の工程とを備えていることを特徴とする。
この発明では、第１の工程で骨格部材を組立て、第２の工程でアウタパネルを取付けるため、ケースの組立てを簡単に行うことができる。
請求の範囲第１２項の発明は、複数のアウタパネルを組付けることにより、コンピュータ用モジュールが組み込み可能なベイを内部に有した立体形状のコンピュータ用ケースを組立てるコンピュータ用ケースの製造方法であって、前記立体形状の各面の輪郭形状に形成されたアウタフレームのコーナ部分にコーナ部品を設けて隣接するアウタフレームを連結することにより、前記立体形状の輪郭を形成するための骨格部材を分解自在に組立てる第１の工程と、前記骨格部材の外側に前記アウタパネルをビスによって着脱自在に取付ける第２の工程とを備えていることを特徴とする。
この発明では、骨格部材がアウタパネルとコーナ部品とのみから構成されているので、骨格部材を組立てる第１の工程が簡易化される。その後、第２の工程でアウタパネルを取付けるため、ケースの組立てをいっそう簡単に行うことができる。
【図面の簡単な説明】  第１図は、本発明の第一実施の形態によるコンピュータ用ケースの背面からの斜視図であり、
第２図は、本発明の第一実施の形態によるコンピュータ用ケースの背面からの分解斜視図であり、
第３図は、第１図の正面図であり、
第４図は、第１図の右側面図であり、
第５図は、第１図の左側面図であり、
第６図は、第１図の背面図であり、
第７図は、本発明の第一実施の形態による第１のケースの分解斜視図であり、
第８図は、本発明の第一実施の形態による第１のケースにおける骨格部材の分解斜視図であり、
第９図は、本発明の第一実施の形態による第１のケースに用いるインナフレームの一例を示し、（ａ）は斜視図、（ｂ）は側面図、（ｃ）は要部の拡大図であり、
第１０図は、本発明の第一実施の形態による第１のケースに用いる別のインナフレームの斜視図であり、
第１１図は、本発明の第一実施の形態によるさらに別のインナフレームの斜視図であり、
第１２図は、本発明の第一実施の形態によるコーナ部品を示し、（ａ）は斜視図、（ｂ）は側面図であり、
第１３図は、本発明の第一実施の形態によるアウタフレームの一例を示し、（ａ）は斜視図、（ｂ）は側面図であり、
第１４図は、本発明の第一実施の形態による取付パネルの一例を示し、（ａ）は斜視図、（ｂ）は側面図であり、
第１５図は、（ａ）は本発明の第一実施の形態によるフロントカバーを兼ねたアウタパネルの斜視図、（ｂ）は側面図であり、
第１６図は、（ａ）は本発明第一実施の形態によるの飾りビスの斜視図、（ｂ）は側面図であり、
第１７図は、本発明の第一実施の形態による第２のケースの分解斜視図であり、
第１８図は、本発明の第一実施の形態による第２のケースにおける骨格部材の分解斜視図であり、
第１９図は、本発明の第一実施の形態による第３のケースの分解斜視図であり、
第２０図は、本発明の第一実施の形態による第３のケースにおける骨格部材の分解斜視図であり、
第２１図は、本発明の第二実施の形態によるコンピュータ用ケースの一部アウタパネルを取外した正面からの斜視図であり、
第２２図は、第２１図の要部拡大図であり、
第２３図は、第２１図の正面図であり、
第２４図は、本発明の第三実施の形態によるコンピュータ用ケースの一部アウタパネルを取外した正面からの斜視図であり、
第２５図は、本発明の第四実施の形態によるコンピュータ用ケースの一部アウタパネルを取外した正面からの斜視図であり、
第２６図は、第２５図の正面図であり、
第２７図は、本発明の第四実施の形態によるコンピュータ用ケースの正面からの斜視図であり、
第２８図は、本発明の第二実施の形態によるコーナ部品を示し、（ａ）は外側から見た斜視図、（ｂ）は裏側から見た斜視図であり、
第２９図は、本発明の第二実施の形態による第１のアングルパネルを示し、（ａ）は表から見た斜視図、（ｂ）は上から見た平面図であり、
第３０図は、本発明の第二実施の形態による第２のアングルパネルの斜視図であり、
第３１図は、本発明の第二実施の形態による第３の右アングルパネルの斜視図であり、
第３２図は、本発明の第二実施の形態による第３の左アングルパネルの斜視図であり、
第３３図は、本発明の第二実施の形態による基盤取付アングルの斜視図であり、
第３４図は、本発明の第二実施の形態による電源取付アングルの斜視図である。
【発明を実施するための最良の形態】  以下、本発明を図示する実施の形態により具体的に説明する。
本発明の第一実施の形態では、本発明を一例としてミドルタワー型のコンピュータに適用したものであり、第１図〜第６図に示すように第１のケース１０１、第２のケース１０２及び第３のケース１０３からなる３つのケースが組付けられる。この場合、それぞれのケース１０１、１０２、１０３がコンピュータ用ケースを構成するものである。
第１のケース１０１は、第３図及び第７図に示すように、外部記憶モジュール１０４（例えば５インチディスクドライブ）、１０５（例えば３．５インチディスクドライブ）及びマザーボードを含むボードや音響カード、ビデオカード、その他のＰＣ用機器類（図示省略）を格納する。また、第２のケース１０２は電源モジュール１０９（第１７図参照）を格納し、第３のケース１０３はＨＤＤ等の内部記憶モジュール１１０（第１９図参照）を格納する。
第１のケース１０１は、第１図及び第２図に示すように、背面側に段違い状の載置部（アウタパネル３７、３９）が形成されており、第２のケース１０２が低い位置の載置部（アウタパネル３７）に組付けられ、第３のケース１０３が高い位置の載置部（アウタパネル３９）及び第２のケース１０２にかけて組付けられる。この組付け状態では、第２のケース１０２及び第３のケース１０３の外面が第１のケース１０１の左右両側面（アウタパネル３３、３４）と同一面となるとともに、第１のケース１０１の頂面（アウタパネル４２）と第３のケース１０３の上面（アウタパネル２０）とが同一面となる。これにより、コンピュータ全体として、直方体の外形を有したタワー型となる。このように電源モジュール１０９を格納する第２のケース１０２及び内部記憶モジュール１１０を格納する第３のケース１０３を第１のケース１０１の背面側に配置した構造では、これらがコンピュータの正面側から見えることがなく外観が向上するとともに、電源モジュール１０９及び内部記憶モジュール１１０の排熱も後方に放出するメリットがある。
なお、電源モジュール１０９を格納する第２のケース１０２における一側面側のアウタパネル５は、パンチングメタルが使用されているとともに、背面側のアウタパネル７には排気用の開口部７ａが形成されており、これにより外気がアウタパネル５から第２のケース１０２内に進入し、開口部７ａから排出されるため良好な放熱性を保持することが可能となっている。また、内部記憶モジュール１１０を格納する第３のケース１０３における左右面のアウタパネル１６及び上面のアウタパネル２０としてパンチングメタルが使用されている。従って、第３のケース１０３においても良好な放熱性を保持することが可能となっている。
第１のケース１０１における一方の外部記憶モジュール１０４は、ＣＤ又はＣＤ−ＲＷ、ＤＶＤ、光ディスク等の５インチディスクドライブとなっている。他方の外部記憶モジュール１０５は、外部記憶モジュール１０４の下側に配置されており、ＦＤ等の３．５インチディスクドライブとなっている。これらの外部記憶モジュール１０４、１０５を格納するため、第１のケース１０１では外部記憶モジュールベイ（図示省略）が対応部位に設けられるものである。第７図において、１０１ａはマザーボードを含むボード及びその他のＰＣ用機器類を格納するためのボードベイである。
また、第１のケース１０１の正面（前面）側には、コンピュータを起動するためのメインスイッチ５１、リセットを行うためのリセットボタン５２、パワーインジケータランプ、アクセスランプなどのインジケータランプ類（ＬＥＤ）が適宜配置されている。さらに、第１のケース１０１の背面側には、電源、ディスプレー、スキャナ、他のコンピュータ、通信その他の電子機器との接続を行うためのコネクタ類１０６が配置されている。
第７図は、第１のケース１０１を組付け及び分解を説明するための斜視図を示す。
第１のケース１０１は、骨格部材１０１ｆと、骨格部材１０１ｆの外側に取付けられて内部を覆う複数のアウタパネル３３、３４、３６〜４３を有している。骨格部材１０１ｆは、第１のケース１０１の立体形状の輪郭（外殻）となるように形成されており、骨格部材１０１ｆに対して複数のアウタパネル３３、３４、３６〜４３を外側から取付けることにより、第１のケース１０１が第２図に示す外形形状となる。なお、前面側のアウタパネル４３はコンピュータの正面側に位置するフロントカバーを兼ねるもの（フロントパネル）であり、上述した外部記憶モジュール１０４及び１０５にアクセスするための窓部４３ａ、４３ｂがこれらの対応部位に形成されている。
第８図は、第１のケース１０１における骨格部材１０１ｆの分解状態を示す。
骨格部材１０１ｆは、複数のインナフレーム２１〜３０、複数のコーナ部品５３、５５及び複数のアウタフレーム５７〜６０、６９〜８０をビスによって組付けることにより構成されている。
インナフレーム２１〜３０は、第１のケース１０１の立体形状を構成する各面の輪郭形状に成形されるものである。例えば、インナフレーム２１及び２２は、第１のケース１０１における２段状の側面に位置するものであり、このため段状の側面の輸郭形状に成形されている。また、インナフレーム２３は、正面側に位置するものであり、外部記憶モジュール１０４、１０５に対応する開口が形成された矩形の輪郭形状となっている。インナフレーム２９は、コネクタ類１０６（第６図参照）が配置される背面に位置するものであり、背面に対応した略Ｌ字の輪郭形状となっている。
コーナ部品５３は、それぞれのインナフレーム２１〜３０により構成される立体形状のコーナ部分に配置され、隣接するインナフレーム２１〜３０を相互に連結する。アウタフレーム５７〜６０、６９〜８０は、このコーナ部品５３又は５５の間に掛け渡された状態でインナフレーム２１〜３０の外側に取付けられる。これらのインナフレーム２１〜３０、コーナ部品５３及びアウタフレーム５７〜６０、６９〜８０の相互の組付けは全てビスによって行われる。以下、これらの組付け構造を図により説明する。
第９図〜第１１図は、それぞれインナフレーム２１、２２、２３を示し、上述したようにそれぞれが配置される面の輪郭形状に成形されている。これらのインナフレーム２１、２２、２３において、コーナ部分の孔２１ｂ、２２ｂ、２３ｂはいずれも貫通孔であり、これらの孔２１ｂ、２２ｂ、２３ｂの両隣に形成された孔２１ａ、２２ａ、２３ａはいずれもねじ切りされたタップ孔となっている。
コーナ部品５３は、例えば第１２図に示すように直交状の３面の当接面を有している。この当接面における内側面５３ｂに対し、インナフレーム２１〜３０が当接する。５３ｃは当接面に形成された貫通孔であり、上述したインナフレームのタップ孔（例えば、インナフレーム２１、２２、２３におけるタップ孔２１ａ、２２ａ、２３ａ）が連通する。この連通状態でビスを螺合することにより、隣接するインナフレーム２１〜３０の連結が行われる。なお、５３ｄは当接面のコーナ部分に形成されたタップ孔であり、後述するようにアウタパネルの取付けを行うために用いられる。また、当接面における外側面５３ａには、後述するようにアウタパネル３３、３４、３６〜４３が当接するものである。
第１３図は、一例としてアウタフレーム５７を示し、インナフレーム２３の取付部位に対応した長さとなっており、長さ方向の両端部にはビスが貫通するための貫通孔５７ｃが形成されている。アウタフレーム５７の両端部には、コーナ部品５３が位置しており、これによりアウタフレーム５７はコーナ部品５３の間に挟まれた状態でインナフレーム２３の外側に取付けられる。上述した貫通孔５７ｃは、インナフレーム２３（第１１図）のコーナ部分における残りのタップ孔２３ａと連通し、ビスをねじ込むことによりインナフレーム２３に取付けられる。
なお、他のアウタフレーム５８〜６０、６９〜８０もアウタフレーム５７と同様な構造となっており、対応するインナフレーム２１〜３０の外側に同様に取付けられるようになっている。
第１のケース１０１には、外部記憶モジュール１０４、１０５が組み込まれるため、そのための取付パネルが配置される。第８図における符号４５、４６、６４はこの取付パネルとなっている。取付パネル４５、４６は縦コ字形に屈曲された形状となっており、ビスあるいはフック等により対応したインナフレームに取付けられることにより、取付パネル４５は下側の外部記憶モジュール１０５が取付けられ、取付パネル４６は上側の外部記憶モジュール１０４が取付けられる。
取付パネル６４は、マザーボード等のボードを取付けるＰＣ基盤ベースであり、ボード取付け後インナフレーム２１に挿設される。取付パネル６４は、第１４図に示すように、マザーボード等のボードをビスにより取付ける支持凸部６４ｂがインナフレーム２１側に形成されている。このため、この実施の形態におけるインナフレーム２１は取付パネルをも兼ねている。取付パネルを兼ねるため、インナフレーム２１は、第９図に示すように、上下に水平（第９図では、左右に垂直）方向に沿って複数段配設され、前記上下の対面方向に先端部が曲折された高さの異なるガイド２１ｃ、２１ｄが交互に突設されている。高い方のガイド２１ｃの裏面と低い方のガイド２１ｄの表面との間に取付パネル６４がその平板状先端部からインナフレーム２１の後方（すなわち第１のケースの後方）から挿入され、最終的にビスによりインナフレーム２１に固定される。また、取付パネル６４を挿入し易くするため、ガイド２１ｃの後端部には折り曲げガイド部２１ｅが設けられている。
以上のような骨格部材１０１ｆの外側には、第７図に示すように、アウタパネル３３、３４、３６〜４３が取付けられる。アウタパネル３３、３４、３６〜４３はアウタフレーム５７〜６０、６９〜８０及びコーナ部品５３の外側に位置するように取付けられるものであり、第１６図に示す飾りビス６１が貫通する貫通孔が形成されている。この貫通礼４３ｆは、アウタパネル３３、３４、３６〜４３を骨格部材１０１ｆに組付けたとき、対応するコーナ部品５３におけるタップ孔５３ｄと対向するように形成されるものであり、例えば、第１５図に示すフロントカバーを兼ねたアウタパネル４３においては、貫通孔４３ｆは四隅部分に形成される。
なお、飾りビス６１は、第１６図に示すように、頭部６１ａの外面に凹凸状の滑り止めが施され、頭部６１ａから延びるねじ部６１ｂがアウタパネルの固定を行う。アウタパネル３３、３４、３６〜４３の固定は、対応するアウタフレームの外側に接触するように配置した後、それぞれの貫通孔から飾りビス６１を挿入し、コーナ部品５３のタップ孔５３ｄに螺合させることにより簡単に行うことができる。
このような第１のケース１０１では、立体形状の輪郭となる骨格部材１０１ｆを前記インナフレーム、コーナ部品、アウタフレームをビスにより組付けることにより作製され、しかも、骨格部材１０１ｆの外側に前記アウタパネルをビスにより組付けることにより作製される構造となっている。このため、第１のケース１０１の分解及び組付けをユーザ側で簡単に行うことができる。
第１７図は、電源モジュール１０９を格納する第２のケース１０２の分解状態を示し、骨格部材１０２ｆの外側に６枚のアウタパネル５〜１０が取付けられる。なお、電源モジュール１０９を格納するため、第２のケース１０２には電源モジュールベイ１０２ａが形成されている。また、電源モジュール１０９を固定するため、下側のアウタパネル８には電源モジュール１０９をビス止めによって固定するための取付パネル４が固定されている。この実施の形態において、電源モジュール１０９は直方体形状となっており、このため電源モジュールベイ１０２ａが直方体となるように骨格部材１０２ｆが形成されている。
第１８図は、第２のケース１０２における骨格部材１０２ｆの分解状態を示している。
直方体形状の各面の輪郭形状である長方体に成形された６枚のインナフレーム１、２、３と、インナフレームの長方体コーナ部に設けられて隣接するインナフレーム（例えば、インナフレーム１と２）を連結する複数のコーナ部品５３と、インナフレーム１、２、３の各辺の外側に取付けられる複数のアウタフレーム７３、７５、７９とを有している。インナフレーム、コーナ部品及びアウタフレームの組付けは、上述した第１のケース１０１における骨格部材１０１ｆと同様な構造となっている。従って、前記インナフレーム、コーナ部品及びアウタフレームは、ビスによって簡単に組付けることができ、また容易に分解することができる。
このようにして組付けられた骨格部材１０２ｆの外側には、アウタパネル５〜１０が取付けられ、これにより外形が直方体の第２のケース１０２を作製することができる。アウタパネル５〜１０の取付けにおいても、第１のケース１０１におけるアウタパネルの取付けと同様に飾りビス６１により行われる。
第１９図は、ＨＤＤ等の内部記憶モジュール１１０を格納する第３のケース１０３の分解状態を示す。第３のケース１０３においては、骨格部材１０３ｆの外側に６枚のアウタパネル１６、１７、１９、２０、３４、４０が取付けられる。なお、内部記憶モジュール１１０を格納するため、第３のケース１０３には内部記憶モジュールベイ１０３ａが形成されている。
内部記憶モジュール１０３ａ内には、ＨＤＤ等の内部記憶モジュール１１０が上下に一例として３個格納されるようになっている。このため、骨格部材１０３ｆの内部には３枚の取付パネル１２（第２０図）がビス止めによって固定される。各取付パネル１２には、第２０図に示すように内部記憶モジュール１１０をビスによって固定するための固定パネル（取付パネル）１１が取付けられる。この実施の形態において、内部記憶モジュール１１０はいずれも直方体形状となっており、このため内部記憶モジュールベイ１０３ａが直方体となるように骨格部材１０３ｆが形成されている。
第２０図は、第３のケース１０３における骨格部材１０３ｆの分解状態を示している。
直方体形状の各面の輪郭形状である長方体に成形された６枚のインナフレーム１３、１４、１５と、インナフレームの長方体コーナ部に設けられて隣接するインナフレーム（例えば、インナフレーム１と２）を連結する複数のコーナ部品５３と、インナフレーム１３、１４、１５の各辺の外側に取付けられる複数のアウタフレーム７１、７３、７７とを有している。この第３のケース１０３においても、インナフレーム、コーナ部品及びアウタフレームの組付けは、上述した第１のケース１０１における骨格部材１０１ｆと同様な構造となっている。従って、前記インナフレーム、コーナ部品及びアウタフレームはビスによって簡単に組付けることができ、また容易に分解することができる。
このようにして組付けられた骨格部材１０３ｆの外側には、アウタフレーム１６、１７、１９、２０、３４、４０が取付けられ、これにより外形が直方体の第３のケース１０３を形成することができる。アウタフレーム１６、１７、１９、２０、３４、４０の取付けにおいても、第１のケース１０１におけるアウタパネルの取付けと同様に飾りビス６１により行われる。
以上の第１のケース１０１、第２のケース１０２及び第３のケース１０３においては、インナフレーム、コーナ部品及びアウタフレームをビスによって組付けることにより、立体形状の輪郭をなす骨格部材が作製され、この骨格部材の外側にアウタパネルを取付けることにより、それぞれのケースを作製することができる。組付けでは、ビスにより行うため、簡単に組付けることができるとともに分解することができる。
このため、骨格部材の構成部品及びアウタパネルをユーザが選択することにより、ユーザが自由にデザイン設定及びデザイン変更することができ、興趣性に富んだものとすることができる。また、拡張モジュールの追加に際しても、骨格部材の構成部品やアウタパネルを拡張モジュールに合わせた形状や寸法とすることにより、拡張モジュールをケース内に簡単に収納することができ、乱雑となることがなくなる。さらに、分解が容易であるため、梱包も嵩張ることがなく、運搬が容易となる。
次に、本発明の第二実施の形態では、本発明を一例としてフルタワー型のコンピュータに適用したものであり、第２１図〜第２３図に示すように単一のケース２００がコンピュータ用ケースを構成するものである。なお、以下の説明において、左右の方向とは、ケースの前方からフロント（正面）に向かって見た左右方向を基準とする。
第２１図はこの実施の形態によるコンピュータ用ケースの一部アウタパネルを取外した正面からの斜視図、第２２図はその要部（フロント側のディスクドライブベイ部）拡大図、第２３図はフロント側正面図である。
ケース２００は、第２１図に示すように、大型外部記憶モジュールである例えば５インチディスクドライブ３１０、小型内・外部記憶モジュールであるＨＤＤ、ＦＤ例えば３．５インチディスクドライブ３３０、３２０及びマザーボードを含むボード類が搭載されたマザーボードベイ４４０やその他のＰＣ用機器類（一部図示省略）を格納する。また、電源モジュール３５０やファンモジュール３６０もこのケース２００内に格納されている。
また、ケース２００の正面（フロント）側には、コンピュータを起動するためのメインスイッチやリセットを行うためのリセットボタンなどのスイッチ類（ＳＷ）、パワーインジケータランプ、アクセスランプなどのインジケータランプ類（ＬＥＤ）が適宜配置されたＳＷ・ＬＥＤパネル２５０が設けられている。さらに、ケース２００の背面側には、電源、ディスプレー、スキャナ、他のコンピュータ、通信その他の電子機器との接続を行うためのコネクタ類が配置されたリヤコネクタパネル２４１が設けられている。
ケース２００は、骨格部材２１０と、骨格部材２１０の外側に取付けられて内部を覆う複数のアウタパネルを有している。第２１図においては、アウタパネルとしてアンダーパネル２２０、リヤパネル２３０、左サイドパネル２４０が示されているが、それ以外のフロント、右サイド、トップパネル等が取外された状態を示している。
骨格部材２１０は、ケース２００の立体形状の輪郭（外殻）となるように形成されており、骨格部材２１０に対して複数の前記アウタパネル２２０、２３０、２４０、他を外側から取付けることにより、ケース２００が第２１図に示すような直方体形状となる。
骨格部材２１０は、複数のアウタフレーム及び複数のコーナ部品２１１をビスにより組付けることにより構成されている。すなわち、この形態においては、前記第一実施の形態におけるインナフレームを省き、前記複数のアウタフレームとコーナ部品と直接ビスにより連結することにより骨格部材２１０が容易に形成され、このため分解も簡易化されている。
アウタフレームは、ケース２１０の立体形状を構成する各面の輪郭形状に成形されるものである。アウタフレームは、第一実施の形態における例えば、第１３図に示すアウタフレーム５７と同様な擬似アングル形状となっている。
コーナ部品２１１は、アウタフレームにより構成される立体形状のコーナ部分に配置され、隣接するアウタフレームを相互に連結する。これらのコーナ部品２１１及びアウタフレームの相互の組付けは全てビスによって行われる。以下、これらの組付け構造を図により説明する。
アウタフレームにおいて、立体形状のコーナ部分となる両端部に設けられた孔（例えば第１３図の５７ｃ相当）はいずれも貫通孔となっている。
第２８図はこの実施の形態によるコーナ部品を示し、（ａ）は外側から見た斜視図、（ｂ）は裏側から見た斜視図である。
コーナ部品２１０は、第２８図（ａ）に示すように直交状の３面の段付当接面を有している。段付当接面は、直交点（角部）側の各面平坦な高段当接面２１１ｄ、２１１ｅ、２１１ｆと、これに連設して３面方向に延設されアングル形状に成形された低段当接面２１１ａ、２１１ｂ、２１１ｃとに成形されている。この低段当接面２１１ａ、２１１ｂ、２１１ｃにおける外側面に対し、前記アウタフレームのアングル状の内面（例えば第１３図の５７ｂ相当）が当接する。低段当接面２１１ａ、２１１ｂ、２１１ｃの各アングル面に形成された複数（図示では各アングル面に１個ずつ）の孔２１１ｇはタップ孔であり、これらに上述したアウタフレームの貫通孔（例えば、第１３図の５７ｃ相当）がそれぞれ連通する。この連通状態でビスを螺合することにより、コーナ部品２１１に隣接するアウタフレームの連結が行われる。
また、高段当接面２１１ｄ、２１１ｅ、２１１ｆには、アウタパネル２２０、２３０、２４０、他が当接するものである。高段当接面２１１ｄ、２１１ｅ、２１１ｆのコーナ部分に形成された複数（図示では各面に１個ずつ）の孔２１１ｈはタップ孔であり、前記アウタパネルの取付けを行うために用いられる（第２２図参照）。
なお、前記アウタフレームはケース２１０の立体形状の各面の輪郭形状に対応した所定長さとなっており、他のアウタフレームも前記アウタフレームと同様な構造となっており、対応するコーナ部品２１１に同様に取付けられる。
ケース２００内には、第２１図に示すように、複数の内・外部記憶モジュールである大、小型ディスクドライブ３１０、３２０、３３０が積み重ねられて一体的に取付けられるディスクドライブベイ３００が格納されている。この点、従来のパソコンや前記第一実施の形態における、ＨＤＤなどの内部記憶モジュールベイが大・小型外部記憶モジュールベイと区分されて格納されている点と異なる構成となっている。このため、ディスクドライブベイ３００は、上記従来型の内・外部記憶モジュールベイより省スペースに構成することができる。
ディスクドライブベイ３００は、第２１〜２３図に示すように、上下に重なる二つの大型ディスクドライブ３１０、３１０に掛け渡されてそれらの左右両側面を挟持した状態で、ケース２００の底面のアウタフレームに取付けられたベイ固定パネル２２１の上面に固定される左右一対の第１のアングルパネル３１１、３１１と、前記上側の大型ディスクドライブ３１０の上にさらに重ねて積み上げられた複数（図示では２個）の大型ディスクドライブ３１０、３１０の上下に隣接する二つずつ（３１０、３１０）に順次掛け渡されてそれらの左右両側面を挟持する左右複数対（図示では３対）の第２のアングルパネル（３１２、３１２）、〜、（３１２、３１２）と、前記大型ディスクドライブの最上部（３１０）にさらに重ねて積み上げられた一つの小型ディスクドライブ３３０の左右両側面を挟持した状態で、前記大型ディスクドライブの最上部（３１０）に配設された左右一対の第２のアングルパネル３１２，３１２にそれぞれ固定される一対の第３の左、右アングルパネル３２２、３２１とを備えている。
さらに、前記と同形状の複数対の第２のアングルパネル（３１２、３１２）、〜、（３１２、３１２）は、前記小型ディスクドライブ３３０の上にさらに重ねて積み上げられた複数（図示では５個）の小型ディスクドライブ３２０、３２０、〜、３２０をそれぞれ一つずつ挟持した前記と同形状の複数対の第３の左、右アングルパネル（３２２、３２１）、〜、（３２２、３２１）を順次上下に隣接する二つずつ（３２２、３２２）及び（３２１、３２１）に掛け渡し固定することにより複数段連設することができるようになっている。
このようにして、ディスクドライブベイ３００は、大、小型ディスクドライブ３１０、３３０、３２０がそれぞれ複数段積み重ねられて配置され、左右一対の第１のアングルパネル３１１、３１１と左右複数対の第２のアングルパネル（３１２、３１２）、〜、（３１２、３１２）及び第３の左、右アングルパネル（３２２、３２１）、〜、（３２２、３２１）とを介しビスによって一体的に組付けられることにより分解自在となっている。こため、ユーザが自由にパソコンのデザインを選ぶことができ、興趣性に富むとともに、追加のディスクドライブなどの拡張モジュールをケース内に収納することが容易にでき、乱雑となることがない。しかも、以下に詳述するが、特に第１、第２のアングルパネル及び第３の左、右アングルパネルが小型軽量な薄板構造で構成されていることから、ケース全体が従来型より軽量・コンパクトな構成となる。
第２９図はこの実施の形態による第１のアングルパネルを示し、（ａ）は表から見た斜視図、（ｂ）は上から見た平面図である。
第１のアングルパネル３１１は、断面Ｌ字形に屈曲成形された薄板構造である。第１のアングルパネル３１１は、前記ベイ固定パネル２２１の上面にビスにより固定される固定フランジ３１１ｃと、固定フランジ３１１ｃに連設して断面Ｌ字形に曲折され、上下に重なる二つの前記大型ディスクドライブ３１０、３１０に掛け渡されてそれらの側面にビスにより取付けられる平板取付部３１１ａ、３１１ｂとを有している。
固定フランジ３１１ｃには、第２９図（ｂ）に示すように、例えば３個の貫通孔３１１ｅ、３１１ｅ、３１１ｅが形成されている。これら３個の貫通孔３１１ｅ、３１１ｅ、３１１ｅは、ベイ固定パネル２２１の上面にビスにより固定されるためのビス孔である。なお、前記貫通孔３１１ｅは、タップ孔であってもよい。
平板取付部３１１ａ、３１１ｂにはそれぞれ２個、４個（＝２個×２列）の長孔３１１ｆ、３１１ｆ、〜、３１１ｆ、３１１ｆが貫通形成されている。平板取付部３１１ａの２個の長孔３１１ｆ、３１１ｆ及び平板取付部３１１ｂの下側２個の長孔３１１ｆ、３１１ｆは前記最下部一段目の大型ディスクドライブ３１０の側面に取付けるためのビス孔で、平板取付部３１１ｂの上側２個の長孔３１１ｆ、３１１ｆは二段目の大型ディスクドライブ３１０の側面に取付けるためのビス孔である（第２２図参照）。
なお、平板取付部３１１ａ、３１１ｂの中央部及びその周囲には軽量化を図るとともに、前記ディスクドライブの放熱性を考慮して適当な大きさの抜き穴（符号省略）が複数設けられている。
第３０図は、この実施の形態による第２のアングルパネル３１２を表から見た斜視図である。
第２のアングルパネル３１２は、平板状の薄板構造で、中央部には軽量化を図るとともに、前記ディスクドライブの放熱性を考慮して適当な大きさの抜き穴（符号省略）が複数設けられている。
第２のアングルパネル３１２は、上下に重なる二つの大型ディスクドライブ３１０、３１０に掛け渡されてそれらの側面にビスにより取付けられる平板取付部３１２ａを有している。平板取付部３１２ａには、４個（＝２個×２列）の長孔３１２ｃ、３１２ｃ、３１２ｃ、３１２ｃ、が貫通形成されている。平板取付部３１２ａの下側２個の長孔３１２ｃ、３１２ｃは二段目の大型ディスクドライブ３１０の側面の上側タップ孔に取付けるためのビス孔で、平板取付部３１２ａの上側２個の長孔３１２ｃ、３１２ｃは三段目の大型ディスクドライブ３１０の側面の下側タップ孔に取付けるためのビス孔である。このように複数対の第２のアングルパネル（３１２、３１２）、〜、（３１２、３１２）を介して四段目以降任意に複数段の大型ディスクドライブ３１０、３１０、〜、３１０を積み重ね連設することができる（第２２図、第２３図参照）。
第３１図はこの実施の形態による第３の右アングルパネル３２１を表から見た斜視図、第３２図は第３の左アングルパネル３２２の裏（内側）から見た斜視図である。
第３の左、右アングルパネル３２２、３２１も薄板構造で、中央部には軽量化を図るとともに、前記ディスクドライブの放熱性を考慮して適当な大きさの抜き穴（符号省略）が複数設けられている。
第３の右アングルパネル３２１は、第３１図に示すように、複数段積み重ねられた前記大型ディスクドライブの最上部（３１０）にさらに重なるように配置された一つの小型ディスクドライブ３３０の右側面にビスにより取付けられる平板取付部３２１ｃ、３２１ｄと、その平板取付部３２１ｃ、３２１ｄに連設して右外側に向かって突出するように断面クランク型状に曲折され、前記大型ディスクドライブの最上部（３１０）に配設された右側の第２のアングルパネル３１２の平板取付部３１２ａにビスにより固定される固定部３２１ｂ、３２１ａとを有している。
平板取付部３２１ｃ、３２１ｄには、各１個（計２個）の長孔３２１ｆ、３２１ｆが貫通形成されており、これらの長孔は小型ディスクドライブ３３０又は３２０の右側面（タップ孔）に取付けるためのビス孔である。
固定部３２１ｂ、３２１ａには、上下に各１個（計２個×２列）の合計４個のタップ孔３２１ｅ、３２１ｅ、３２１ｅ、３２１ｅが設けられており、これら４個の長孔は上下に連設する右側２枚の第２のアングルパネル３１２、３１２の平板取付部３１２ａ、３１２ａに掛け渡されて固定されるためのビス孔である。
すなわち、第３の右アングルパネル３２１の固定部３２１ｂ、３２１ａの下側の２個のタップ孔３２１ｅ、３２１ｅは、連設する右下側１枚の第２のアングルパネル３１２の平板取付部３１２ａの上側の２個の長孔３１２ｃ、３１２ｃにそれぞれビスにより固定される。一方、第３の右アングルパネル３２１の固定部３２１ｂ、３２１ａの上側の２個のタップ孔３２１ｅ、３２１ｅは、連設する右上側１枚の第２のアングルパネル３１２の平板取付部３１２ａの下側の２個の長孔３１２ｃ、３１２ｃにそれぞれビスにより固定される。
第３の左アングルパネル３２２は、第３２図に示すように、前記第３の右アングルパネル３２１（第３１図）と左右勝手反対の対称形状に形成されている。
第３の左アングルパネル３２２は、複数段積み重ねられた前記大型ディスクドライブの最上部（３１０）にさらに重なるように配置された一つの小型ディスクドライブ３３０の左側面にビスにより取付けられる平板取付部３２２ｃ、３２２ｄと、その平板取付部３２２ｃ、３２２ｄに連設して左外側に向かって突出するように断面クランク型状に曲折され、前記大型ディスクドライブの最上部（３１０）に配設された左側１枚の第２のアングルパネル３１２の平板取付部３１２ａにビスにより固定される固定部３２２ｂ、３２２ａとを有している。
平板取付部３２２ｃ、３２２ｄには、各１個（計２個）の長孔３２２ｆ、３２２ｆが貫通形成されており、これらの長孔は小型ディスクドライブ３３０又は３２０の左側面に取付けるためのビス孔である。
固定部３２２ｂ、３２２ａには、上下に各１個（計２個×２列）の合計４個のタップ孔３２２ｅ、３２２ｅ、３２２ｅ、３２２ｅが設けられており、これら４個の長孔は上下に連設する左側２枚の第２のアングルパネル３１２、３１２の平板取付部３１２ａ、３１２ａに掛け渡されて固定されるためのビス孔である。
すなわち、第３の左アングルパネル３２２の固定部３２２ｂ、３２２ａの下側の２個のタップ孔３２２ｅ、３２２ｅは、連設する左下側１枚の第２のアングルパネル３１２の平板取付部３１２ａの上側の２個の長孔３１２ｃ、３１２ｃにそれぞれビスにより固定される。一方、第３の左アングルパネル３２２の固定部３２２ｂ、３２２ａの上側の２個のタップ孔３２２ｅ、３２２ｅは、連設する左上側１枚の第２のアングルパネル３１２の平板取付部３１２ａの下側の２個の長孔３１２ｃ、３１２ｃにそれぞれビスにより固定される。
このように左右一対の第２のアングルパネル３１２、３１２の平板取付部３１２ａ、３１２ａと第３の左、右アングルパネル３２２、３２１の固定部（３２２ｂ、３２２ａ）、（３２１ｂ、３２１ａ）とが、相互に左右の各上下に隣接する２枚ずつに掛け渡されてビスにより固定することができる。これにより、複数対の第２のアングルパネル（３１２、３１２）、〜、（３１２、３１２）を介して複数段の小型ディスクドライブ３３０、３２０、３２０、〜、３２０を積み重ね連設することができる（第２２図、第２３図参照）。
また、第１のアングルパネル３１１の平板取付部３１１ｂ上端と第２のアングルパネル３１２の平板取付部３１２ａ下端とには、両者が当接して位置決めを行う係止部３１１ｄ、３１２ｄをそれぞれ有している。さらに、第２のアングルパネル３１２の平板取付部３１２ａ上端には、上部に連設する別の第２のアングルパネル３１２の平板取付部３１２ａ下端の係止部３１２ｄと当接して位置決めを行う係止部３１２ｂを有している。
すなわち、第１のアングルパネル３１１と第２のアングルパネル３１２、及び隣接する第２のアングルパネル３１２、３１２同士がそれぞれ当接して位置決めを行う係止部３１１ｄ、３１２ｄ、３１２ｂをそれぞれ有している。
このため、左右一対の第１のアングルパネル３１１、３１１と複数対の第２のアングルパネル（３１２、３１２）、〜、（３１２、３１２）及び第３の左、右アングルパネル（３２２、３２１）、〜、（３２２、３２１）とを用いて大、小型ディスクドライブ３１０、３３０、３２０を任意に複数段積み重ねて組付ける場合に、それぞれの位置決めが容易で、しかも相互に前後にずれることがないので安定した組付けが確保できる。
この実施の形態では、マザーボード等のボード類を搭載するマザーボードベイ３４０は、第２１図に示すように、複数（図示では５個）の基盤取付アングル３４１、３４１、〜、３４１を介して直接ケース２００の底面の右サイドのアウタフレーム及びケース２００の右サイド面のアウタフレーム中間部部に水平に配置されビスにより固定されたフレーム２１０ａに取付けられている。この点、従来のパソコンの形態におけるマザーボードベイや前記第一実施の形態におけるマザーボード取付用インナフレーム２１を用いる取付構成などとは異なっており、以下に詳述するように、基盤取付アングル３４１が小型簡易構造であることから、省スペースで軽量化を図り、かつ分解自在なコンピュータ用ケースを提供することができる。
第３３図は、この実施の形態による基盤取付アングルの斜視図である。
基盤取付アングル３４１は、３本アーム（３股）状に形成された薄肉構造である。基盤取付アングル３４１は、ケース２００底面の前記（右サイド）アウタフレーム又はフレーム２１０ａにビスにより固定される２本アーム（２股）の固定部３４１ａ、３４１ａと、固定アーム３４１ａ、３４１ａ上方に延設して図面手前方向に曲折され、マザーボードベイ３４０の背面にビスにより取付けられる１本アームの取付部３４１ｂとを有している。
固定部３４１ａ、３４１ａ及び取付部３４１ｂには、各１個の貫通孔３４１ｃ、３４１ｃ、３４１ｄが形成されている。固定部３４１ａ、３４１ａの２個の貫通孔３４１ｃ、３４１ｃは、前記底面右サイドのアウタフレームのアングル状裏面（内面）又はフレーム２１０ａの裏面（内面）にビスにより固定されるためのビス孔である。一方、取付部３４１ｂの１個の貫通孔３４１ｄは、マザーボードベイ３４０の背面にビスにより取付けられるためのビス孔である（第２１図参照）。
なお、前記貫通孔３４１ｃ、３４１ｃ、３４１ｄは、ビス孔又はタップ孔のいずれにも選択的に設定することができる。
また、この実施の形態では、電源モジュールを格納する電源モジュールベイ３５０は、第２１図に示すように、電源アングル３５１及び図示しない電源パネルを介して直接ケース２００の背面のリヤパネル２３０に取付けられている。この点、従来のパソコンの形態における電源モジュールベイや前記第一実施の形態における電源モジュールベイ構成用の骨格部材１０２ｆやその他の電源モジュールベイ取付用部材を用いる構成などとは異なっており、以下に詳述するように、電源アングル３５１が薄板の小型・軽量な簡易構造であることから、省スペースで軽量化を図り、かつ分解自在なコンピュータ用ケースを提供することができる。
第３４図は、この実施の形態による電源アングルの斜視図である。
電源アングル３５１は、略縦コ字形に成形された薄板構造である。電源アングル３５１は、縦コ字形に曲折された平板３５１ａ、３５１ｂ、３５１ｂに囲まれた電源モジュール収容部３５１ｆと、平板３５１ａ、３５１ｂ、３５１ｂの図面手前側端部にそれぞれ外側方向に曲折され、ケース２００の裏面のアウタパネルであるリヤパネル２３０にビスにより固定される固定フランジ３５１ｃ、３５１ｄ、３５１ｄとを有している。平板３５１ａ、３５１ｂ、３５１ｂの中央部には軽量化を図るとともに、前記電源モジュールの放熱性を考慮して適当な大きさの矩形状抜き穴（符号省略）が設けられている。
固定フランジ３５１ｃ、３５１ｄ、３５１ｄには、所要複数個（図示ではそれぞれ３、２、２個の計７個）の貫通孔３５１ｅ、３５１ｅ、〜、３５１ｅが形成されている。これらの貫通孔３５１ｅ、３５１ｅ、〜、３５１ｅは、リヤパネル２３０裏面（内面）にビスにより固定されるためのタップ孔である（第２１図参照）。なお、前記貫通孔３５１ｅは、ビス孔であってもよい。
また、この実施の形態では、ファンモジュールを格納するファンモジュールベイ３６０は、第２１図に示すように、ファン取付パネル３６１を介して直接ケース２００の背面のリヤパネル２３０に取付けられている。この点、従来のパソコンの形態におけるファンモジュールベイの取付構成とは異なっており、ファン取付パネル３６１が排気流通用の複数開口部を有する小型・軽量な矩形平板状の簡易構造（図示省略）であることから、省スペースで軽量化を図り、かつ分解自在なコンピュータ用ケースを提供することができる。
次に、本発明の第三実施の形態では、これも本発明を一例としてフルタワー型のコンピュータに適用したものであるが、第２４図に示すように単一のケース２００がコンピュータ用ケースを構成するものである。
第２４図はこの実施の形態によるコンピュータ用ケースの一部アウタパネルを取外した正面からの斜視図である。
この実施の形態のケース２００ａは、前記第二実施の形態のケース２００における電源モジュール３５０の電源が水平状態でリヤパネル２３０に取付けられている構成であるのに対し、電源モジュール３５０ａの電源が９０度（一例として図面手前から見て反時計方向に）回転した状態でリヤパネル２３０に取付けられている点が異なるだけで、その他の構成は全くケース２００と同じである。このため、第２４図においてもケース２００と同じ部材には同一符号を付しており、以下詳細な説明は省略する。
このような形態においては、電源モジュール、ファンモジュールなどのパソコン用付帯機器類が筒易な構造の前記電源アングル、ファン取付パネルなどの取付部材を介して直接リヤパネル２３０などのアウタパネルにビスにより取付けることができることから、これらの機器類配置デザインの自由度があるとともに、分解自在なコンピュータ用ケースを提供することができる。
次に、本発明の第四実施の形態では、本発明を一例としてミニ又はマイクロタワー型のコンピュータに適用したものであり、第２５図〜第２７図に示すように単一のケース４００がコンピュータ用ケースを構成するものである。
第２５図はこの実施の形態によるコンピュータ用ケースの一部アウタパネルを取外した正面からの斜視図、第２６図はその正面図、第２７図は正面からの外観斜視図である。第２５図〜第２７図中、前記実施の形態と同一形状の部材には同一符号を付している。
この形態のケース４００は、第２５図に示すように、大型外部記憶モジュールである例えば５インチディスクドライブ３１０、小型内部記憶モジュールのＨＤＤである例えば３．５インチディスクドライブ３３０及びマザーボードを含むボード類が搭載されたマザーボードベイ４４０やその他のＰＣ用機器類（一部図示省略）を格納する。また、電源モジュールベイ５５０やファンモジュールベイ５６０もこのケース４００内に格納されている。
また、ケース２００の正面（フロント）側には、コンピュータを起動するためのメインスイッチやリセットを行うためのリセットボタンなどのスイッチ類（ＳＷ）、パワーインジケータランプ、アクセスランプなどのインジケータランプ類（ＬＥＤ）が適宜配置されたＳＷ・ＬＥＤパネル４５０が設けられている。さらに、ケース４００の背面側には、電源、ディスプレー、スキャナ、他のコンピュータ、通信その他の電子機器との接続を行うためのコネクタ類が配置されたコネクタパネル４４１が設けられている。
ケース４００は、第２５図、第２７図に示すように、骨格部材４１０と、骨格部材４１０の外側に取付けられて内部を覆う複数のアウタパネル４２０（アンダーパネル）、４３０（リヤパネル）、４４０（左又は右サイドパネル）、４６０（フロントパネル）、４７０（トップパネル）を有している。第２５図においては、アウタパネルとしてアンダーパネル４２０、リヤパネル４３０、左サイドパネル４４０が示されているが、それ以外のフロント、右サイド、トップパネル（４６０、４４０、４７０）等が取外された状態を示している。
骨格部材４１０は、ケース４００の立体形状の輪郭（外殻）となるように形成されており、骨格部材４１０に対して複数の前記アウタパネル４２０、４３０、４４０、４４０、４６０、４７０を外側から取付けることにより、ケース４００が第２５図、第２７図に示すような直方体形状となる。
骨格部材４１０は、前記第二、第三実施の形態と同様に複数のアウタフレーム及び複数のコーナ部品２１１をビスにより組付けることにより構成されている。すなわち、この形態においても、前記第一実施の形態におけるインナフレームを省き、前記複数のアウタフレームとコーナ部品と直接ビスによって連結することにより骨格部材４１０が容易に形成され、このため分解も簡易化されている。
この実施の形態のケース４００内に一つずつの大、小型ディスクドライブ３１０、３３０が積み重ねられて取付けられるディスクドライブベイ５００は、第２５図、第２６図に示すように、大型ディスクドライブ３１０の左右両側面を挟持した状態で、ケース４００の上面のアウタフレームに取付けられたベイ固定パネル５１０の下面（裏面）に固定される左右一対の第１のアングルパネル３１１、３１１（第二、第三実施の形態と同形状）と、前記大型ディスクドライブ３１０の下部に重なるように配設された小型ディスクドライブ３３０の左右両側面を挟持した状態で、前記左右の第１のアングルパネル３１１、３１１にそれぞれ固定される第３の左、右アングルパネル３２２、３２１（いずれも第二、第三実施の形態と同形状）とを備えている。
この形態の第１のアングルパネル３１１及び第３の左、右アングルパネル３２２、３２１は、前記第２、第３実施の形態における第１のアングルパネル３１１及び第３の左、右アングルパネル３２２、３２１と同じ形状のものを上下逆さにして使用することができる。
かように大、小型ディスクドライブ３１０、３３０が積み重ねられて配設され、左右一対の第１のアングルパネル３１１、３１１及び第３の左、右アングルパネル３２２、３２１を介しビスによって組付けられることにより分解自在となっている。
この実施の形態では、省スペースのマイクロ又はミニタワー型コンピュータ用ケース４００として、左右一対の第１のアングルパネル３１０、３１０と第３の左、右アングルパネル３２２、３２１とを用い大、小型ディスクドライブ３１０、３３０を積み重ねたディスクドライブベイ５００をケース４００上面部のベイ固定パネル５１０の下面に直接固定し（吊下げ式に）組付けるため、コンパクトで軽量に構成することができる。さらに、輸送時にはケース４００及びそれに収容する全ての部材を分解して輸送することができるので、梱包も嵩張ることがなく、運搬が容易で大幅な輸送コストダウンも可能となる。
この実施の形態では、マザーボード等のボード類を搭載するマザーボードベイ５４０は、第２５図に示すように、複数（図示では左右各２個）の基盤取付アングル５４１、５４１、〜、５４１を介して直接ケース４００の底面左右サイドのアウタフレーム４１０ａ、４１０ａに取付けられている。この点、従来のパソコンの形態におけるマザーボードベイや前記第一実施の形態におけるマザーボード取付用インナフレーム２１を用いる取付構成などとは異なっており、以下に述べるように、基盤取付アングル４４１が小型簡易構造であることから、さらに省スペース化及び軽量化を図り、かつ分解自在なコンピュータ用ケースを提供することができる。
基盤取付アングル４４１は、前記第二実施の形態と同様な３本アーム（３股）状に形成された薄肉構造である（第３３図参照）。したがって、これの詳細な説明は省略する。
また、この実施の形態では、電源モジュールを格納する電源モジュールベイ５５０は、第２５図に示すように、直接ケース４００の定面のアンダーパネル４２０にビスにより取付けられた簡易構造である。この点、従来のパソコンの形態における電源モジュールベイや前記第一実施の形態における電源モジュールベイ構成用の骨格部材１０２ｆやその他の電源モジュールベイ取付用部材は不要であることから、いっそう省スペースで軽量化を図り、かつ分解自在なコンピュータ用ケースを提供することができる。
また、この実施の形態では、ファンモジュールを格納するファンモジュールベイ５６０は、第２５図に示すように、直接ケース４００の背面のリヤパネル４３０に取付けられたリヤコネクタパネル４４１（薄板のボックス形）にビスにより取付けられた簡易構造である。この点、従来公知ののパソコンにおけるファンモジュールベイ（取付用部材を含む）の構成とは異なり、いっそう省スペース化及び軽量化を図り、かつ分解自在なコンピュータ用ケースを提供することができる。
以上説明した第二〜第四実施の形態においては、第１、第２のアングルパネル３１１、３１２及び第３の左、右アングルパネル３２２、３２１が、それぞれ同じ形状を有する。
したがって、大、小型内・外部記憶モジュール（ディスクドライブ）を複数段積み重ねて組付けられた大型のフルタワー型、それより少ないディスクドライブ段数の中型のミドルタワー型から少なくとも各１個の大、小型ディスクドライブを重ねて組付けられた小型のミニタワー型コンピュータ用ケースに至るまで第１、第２のアングルパネル及び第３の左、右アングルパネルが共通に使用できる。このため、内・外部記憶モジュールベイ（ディスクドライブベイ）の設計製作費が節減されるとともに、ユーザが自由にコンピュータのデザインを選ぶことができ、興趣性に富むとともに、追加の拡張モジュールをケース内に収納することも容易にできる。さらに、ケース及び内・外部記憶モジュールベイが各取付ビスを取外すことによって容易に分解することができるので、梱包も嵩張ることがなく、運搬が容易で大幅な輸送コストダウンが可能となる。
本発明は、以上の実施の形態に限定されることなく種々変更が可能である。例えば、立体形状となっている単一の骨格部材の外側にアウタパネルを取付けた単一構造のケースとすることができる。また、ケースの外形を図示した実施の形態以外の形状とすることも可能であり、その形状に応じてインナフレーム、コーナ部品、アウタフレーム及びアウタパネルの形状を変更することができる。さらに、前記した各部材のタップ孔や貫通孔の数量は任意に変更可能であるとともに、組付けを行うビスとしては、第１６図の飾りビス以外の他の形状のビスを用いることができる。
【産業上の利用可能性】  以上説明したように、本発明のコンピュータ用ケースによれば、次に集約する通り従来のものより優れた効果がある。
すなわち、骨格部材の構成部品及びアウタパネル（サイズ、材質、仕上げなども含め）をユーザが好みに合わせて選択することにより、自由にデザイン設計及びデザイン変更することができ、興趣性や独自性に富んだ個性的なコンピュータ用ケースを提供することができる。
しかも拡張モジュールの追加に際しても、その拡張モジュールをケース内に簡単に収納することができ、乱雑となることがなくなる。
また、マザーボードベイ、電源モジュールベイ、ファンモジュールベイなどのＰＣ機器類の取付けも省スペース、軽量・簡易構造となっていることから、コンパクトで軽量なコンピュータ用ケースを提供することができる。
さらには、ケース及び前記ＰＣ機器類を全てビス取外し方式により容易に分解して輸送することができるので、梱包も嵩張ることがなく、運搬が容易で、輸送コストも大幅に削減することができる。
【符号の説明】
２１、２２、２３、２４、２５、２６、２７、２８、２９、３０インナフレーム
５３、２１１  コーナ部品
５７、５８、５９、６０、６９、７０、７１、７２、７３、７４、７５、７６、７７、７８、７９、８０、  アウタフレーム
３３、３４、３６、３７、３９、４０、４１、４２、４３、２２０、２３０、２４０、４２０、４３０、４４０、４６０、４７０  アウタパネル
１０１  第１のケース
１０１ｆ  第１のケースの骨格部材
１０２  第２のケース
１０２ｆ  第２のケースの骨格部材
１０３  第３のケース
１０３ｆ  第３のケースの骨格部材
１０４、３１０  大型ディスクドライブ（外部記憶モジュール）
１０５、３２０、３３０  小型ディスクドライブ（外部又は内部記憶モジュール）
２００、３００、４００  ケース
２１０、３１０、４１０  骨格部材
２２１、５１０  ベイ固定パネル
３００、５００  ディスクドライブベイ
【図１】
2004001565.tif 000003
【図２】
2004001565.tif 000004
【図３】
2004001565.tif 000005
【図４】
2004001565.tif 000006
【図５】
2004001565.tif 000007
【図６】
2004001565.tif 000008
【図７】
2004001565.tif 000009
【図８】
2004001565.tif 000010
【図９】
2004001565.tif 000011
【図１０】
2004001565.tif 000012
【図１１】
2004001565.tif 000013
【図１２】
2004001565.tif 000014
【図１３】
2004001565.tif 000015
【図１４】
2004001565.tif 000016
【図１５】
2004001565.tif 000017
【図１６】
2004001565.tif 000018
【図１７】
2004001565.tif 000019
【図１８】
2004001565.tif 000020
【図１９】
2004001565.tif 000021
【図２０】
2004001565.tif 000022
【図２１】
2004001565.tif 000023
【図２２】
2004001565.tif 000024
【図２３】
2004001565.tif 000025
【図２４】
2004001565.tif 000026
【図２５】
2004001565.tif 000027
【図２６】
2004001565.tif 000028
【図２７】
2004001565.tif 000029
【図２８】
2004001565.tif 000030
【図２９】
2004001565.tif 000031
【図３０】
2004001565.tif 000032
【図３１】
2004001565.tif 000033
【図３２】
2004001565.tif 000034
【図３３】
2004001565.tif 000035
【図３４】
2004001565.tif 000036
【手続補正書】
【提出日】平成15年11月24日(2003.11.24)
【手続補正００１】
【補正対象書類名】特許請求の範囲
【補正対象項目名】特許請求の範囲
【補正方法】変更
【補正の内容】
【特許請求の範囲】
【請求項１】
（補正後）複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、
前記立体形状の輪郭を形成する骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレームとコーナ部品と、及びインナフレームとアウタフレームとがそれぞれビスによって組付けられることにより分解自在となっており、
前記骨格部材のコーナ部品の外側に前記アウタパネルがビスにより着脱自在に取付けられていることを特徴とするコンピュータ用ケース。
【請求項２】
外部記憶モジュールベイ及びマザーボードを含むボードのボードベイを少なくとも有した立体形状の第１のケースと、
電源モジュールベイを有した立体形状の第２のケースと、
内部記憶モジュールベイを有した立体形状の第３のケースとを備え、
第１、第２及び第３のケースは、それぞれの立体形状の輪郭を形成する骨格部材の外側にアウタパネルがビスによって着脱自在に取付けられており、
前記骨格部材は、前記立体形状の各面の輪郭形状に形成されたインナフレームと、各インナフレームのコーナ部分に位置し、隣接するインナフレームを連結するコーナ部品と、隣接するコーナ部品の間に掛け渡されてインナフレームに取付けられるアウタフレームとを備え、インナフレーム、コーナ部品及びアウタフレームがビスによって組付けられることにより分解自在となっていることを特徴とするコンピュータ用ケース。
【請求項３】
前記第２及び第３のケースが、第１のケースの背面側に組付け可能となっていることを特徴とする請求の範囲第２項記載のコンピュータ用ケース。
【請求項４】
前記外部記憶モジュール及びマザーボードやスイッチ類等のコンピュータ用内部機器類、電源モジュール及び内部記憶モジュールを取付ける取付パネルが、ビスによってそれぞれ前記第１、第２、第３のケース内に着脱自在に組付けられていることを特徴とする請求の範囲第２項記載のコンピュータ用ケース。
【請求項５】
（補正後）複数のアウタパネルが組付けられることにより、コンピュータ用モジュールが組み込み可能なベイを内部に有した立体形状となっているとともに、正面側にスイッチ類及び外部記憶モジュールの挿脱口が少なくとも配置され、背面側にコネクタ類が少なくとも配置されたコンピュータ用ケースであって、
前記立体形状の輪郭を形成する骨格部材は、前記立体形状の各面の輪郭形状に形成されるアウタフレームと、前記立体形状のコーナ部分に位置し、隣接するアウタフレームを連結するコーナ部品とを備え、アウタフレームとコーナ部品とがビスによって組付けられることにより分解自在となっており、
前記骨格部材のコーナ部品の外側に前記アウタパネルがビスにより着脱自在に取付けられていることを特徴とするコンピュータ用ケース。
【請求項６】
前記ケース内に複数の内・外部記憶モジュールである大、小型ディスクドライブがそれぞれ積み重ねられて取付けられるディスクドライブベイは、
上下に重なる二つの大型ディスクドライブに掛け渡されてそれらの左右両側面を挟持した状態で、前記ケースの底面のアウタフレームに取付けられたベイ固定パネルの上面に固定される左右一対の第１のアングルパネルと、
前記上側の大型ディスクドライブの上にさらに重ねて積み上げられた複数の大型ディスクドライブの上下に隣接する二つずつに順次掛け渡されてそれらの左右両側面を挟持する左右複数対の第２のアングルパネルと、
前記大型ディスクドライブの最上部にさらに重ねて積み上げられた一つの小型ディスクドライブの左右両側面を挟持した状態で、前記大型ディスクドライブの最上部に配設された左右の第２のアングルパネルにそれぞれ固定される第３の左、右アングルパネルとを備え、
ルの平板取付部下端と当接して位置決めを行う係止部を有することを特徴とする請求の範囲第７項記載のコンピュータ用ケース。
【請求項７】
前記第１のアングルパネルは、前記ベイ固定パネルの上面にビスにより固定される固定フランジと、その固定フランジに連設して断面Ｌ字形に曲折され、前記上下に隣接する二つの大型ディスクドライブに掛け渡されてそれらの側面にビスにより取付けられる平板取付部とを有し、
前記第２のアングルパネルは、前記上下に隣接する二つの大型ディスクドライブに掛け渡されてそれらの側面にビスにより取付けられる平板取付部を有し、
前記第３の左、右アングルパネルは、複数段積み重ねられた前記大型ディスクドライブの最上部にさらに重なるように配置された一つの小型ディスクドライブの左右両側面にビスにより取付けられる平板取付部と、その平板取付部に連設しそれぞれ左右の外側に向かって突出するように断面クランク型状に曲折され、前記大型ディスクドライブの最上部に配設された左右の第２のアングルパネルの平板取付部にそれぞれビスにより固定される固定部とを有しており、
さらに前記第２のアングルパネルの平板取付部と第３の左、右アングルパネルの固定部とは、相互に上下に隣接する二つに掛け渡されて固定できることを特徴とする請求の範囲第６項記載のコンピュータ用ケース。
【請求項８】
前記第１のアングルパネルの平板取付部上端と第２のアングルパネルの平板取付部下端とには、両者が当接して位置決めを行う係止部をそれぞれ有するとともに、
第２のアングルパネルの平板取付部上端には、上部に連設する別の第２のアングルパネルの平板取付部下端と当接して位置決めを行う係止部を有することを特徴とする請求の範囲第７項記載のコンピュータ用ケース。
【請求項９】
前記ケース内に少なくとも一つずつの大、小型ディスクドライブが積み重ねられて取付けられるディスクドライブベイは、
大型ディスクドライブの左右両側面を挟持した状態で、前記ケースの上面のアウタフレームに取付けられたベイ固定パネルの下面に固定される左右一対の第１のアングルパネルと、
前記大型ディスクドライブの下部に重なるように配置された小型ディスクドライブの左右両側面を挟持した状態で、前記左右の第１のアングルパネルにそれぞれ固定される第３の左、右アングルパネルとを備えており、
前記大、小型ディスクドライブが積み重ねられて配置され、前記左右の第１のアングルパネル及び第３の左、右アングルパネルを介しビスによって組付けられることにより分解自在となっていることを特徴とする請求の範囲第６項記載のコンピュータ用ケース。
【請求項１０】
請求の範囲第９項記載の第１のアングルパネル及び第３の左、右アングルパネルは、それぞれ請求の範囲第７項又は請求の範囲第８項記載の第１のアングルパネル及び請求の範囲第７項記載の第３の左、右アングルパネルとそれぞれ同じ形状を有することを特徴とする請求の範囲第９項記載のコンピュータ用ケース。
【請求項１１】
（補正後）複数のアウタパネルを組付けることにより、コンピュータ用モジュールが組み込み可能なベイを内部に有した立体形状のコンピュータ用ケースを組立てるコンピュータ用ケースの製造方法であって、
前記立体形状の各面の輪郭形状に形成されるインナフレームのコーナ部分にコーナ部品を設けて隣接するインナフレームをビスによって連結するとともに、隣接するコーナ部品の間にアウタフレームを掛け渡してインナフレームにビスによって取付けることにより、前記立体形状の輪郭を形成するための骨格部材を分解自在に組立てる第１の工程と、
前記骨格部材のコーナ部品の外側に前記アウタパネルをビスによって着脱自在に取付ける第２の工程とを備えていることを特徴とするコンピュータ用ケースの製造方法。
【請求項１２】
（補正後）複数のアウタパネルを組付けることにより、コンピュータ用モジュールが組み込み可能なベイを内部に有した立体形状のコンピュータ用ケースを組立てるコンピュータ用ケースの製造方法であって、
前記立体形状の各面の輪郭形状に形成されるアウタフレームのコーナ部分にコーナ部品を設けて隣接するアウタフレームをビスによって連結することにより、前記立体形状の輪郭を形成するための骨格部材を分解自在に組立てる第１の工程と、
前記骨格部材のコーナ部品の外側に前記アウタパネルをビスによって着脱自在に取付ける第２の工程とを備えていることを特徴とするコンピュータ用ケースの製造方法。
【国際調査報告】
2004001565.tif 000037
2004001565.tif 000038
2004001565.tif 000039
2004001565.tif 000040